(57)【要約】【課題】炊飯中の異常を検知する異常検知機能を有する炊飯器において、正常炊飯であるにも関わらず、異常炊飯と誤判定するのを防ぎ、常に食味のよいご飯を炊飯する。【解決手段】炊飯器本体内に鍋１を着脱自在に収納し、蓋１９により開閉自在に覆い、鍋１を鍋加熱手段２により加熱する。制御手段３により鍋温度検知手段４が第１の所定温度を検知してから蓋温度検知手段５が第２の所定温度を検知するまでの時間により炊飯量を判定し判定した炊飯量に応じて鍋加熱手段２を制御し所定のシーケンスで炊飯する。鍋温度検知手段４が第１の所定温度を検知する前に蓋温度検知手段５が第２の所定温度を検知すると異常炊飯判定手段６により異常炊飯であると判定し、前炊き工程短縮手段１０により前炊き工程を短縮させるかを選択できるようにする。制御手段３は、炊飯時の条件により前炊き工程短縮手段１０による前炊き工程短縮の選択を受け付けないように構成する。【選択図】図１
2010172440.tif 000002
【特許請求の範囲】
【請求項１】
炊飯器本体内に着脱自在に収納され米と水を入れる鍋と、前記炊飯器本体の上部を開閉自在に覆う蓋と、前記鍋を加熱する鍋加熱手段と、前記鍋の温度を検知する鍋温度検知手段と、前記蓋の温度を検知する蓋温度検知手段と、前記鍋温度検知手段が第１の所定温度を検知してから前記蓋温度検知手段が第２の所定温度を検知するまでの時間により炊飯量を判定しその判定した炊飯量に応じて前記鍋加熱手段を制御して所定のシーケンスで炊飯させる制御手段と、前記鍋温度検知手段が第１の所定温度を検知する前に前記蓋温度検知手段が第２の所定温度を検知すると異常炊飯であると判定する異常炊飯判定手段と、米に吸水させる前炊き工程を短縮させるかどうかを選択する前炊き工程短縮手段とを備え、前記制御手段は、炊飯時の条件によって前記前炊き工程短縮手段による前炊き工程短縮の選択を受け付けないように構成した炊飯器。
【請求項２】
制御手段は、連続炊飯であると判定した場合、前炊き工程短縮手段による前炊き工程短縮の選択を受け付けないように構成した請求項１記載の炊飯器。
【請求項３】
制御手段は、炊飯動作開始時または炊飯動作開始から一定の時間以内に蓋温度検知手段が第３の所定温度以上を検知すると連続炊飯であると判定するようにした請求項２記載の炊飯器。
【請求項４】
表示動作をする表示手段を備え、制御手段は、前炊き工程短縮手段による前炊き工程短縮の選択を受け付けない場合、前記表示手段にその旨を表示するように構成した請求項１〜３のいずれか１項に記載の炊飯器。
【請求項５】
報知動作をする報知手段を備え、制御手段は、前炊き工程短縮手段による前炊き工程短縮の選択を受け付けない場合、前記報知手段によりその旨を報知するように構成した請求項１〜４のいずれか１項に記載の炊飯器。
【発明の詳細な説明】
【技術分野】
【０００１】
本発明は、炊飯中の異常を検知する異常検知機能を有する炊飯器に関するものである。
【背景技術】
【０００２】
現在、ほとんどの炊飯器では、炊飯中になんらかの異常が起こったときに、不安全な状態とならないようにするための異常検知機能を備えている。鍋と鍋の温度を検知するセンサとの間に異物が入った状態で炊飯する（以下、センサ異物炊飯）場合もその異常の一つである。
【０００３】
従来の炊飯器では、鍋の温度を検知する第１の温度検知手段が第１の所定温度を検知してから蓋の温度を検知する第２の温度検知手段が第２の所定温度を検知するまでの時間により炊飯量を判定し、第１の温度検知手段が第１の所定温度を検知する前に第２の温度検知手段が第２の所定温度を検知した場合にセンサ異物炊飯と判定する。このような異常を検知すると、炊飯工程を飛ばしたり、停止させたりすることにより、炊飯器本体の樹脂部品が溶け、鍋内のご飯が黒こげになるなどの異常を防止するようにしている（例えば、特許文献１参照）。
【０００４】
通常、蓋の温度は鍋内に発生する蒸気を受けて上昇する。そのため、炊飯開始直後に水温を５０℃前後に一定時間維持して米に吸水させる前炊き工程では、蓋の温度上昇は見られず、ほぼ室温と同じくらいの温度となるはずであり、異常と検知することはない。
【０００５】
また、使用者の使い方として自ら米に吸水させた後に炊飯を開始するという使い方が少なからずある。そこで、従来の炊飯器では、使用者が前炊き工程の有無を選択して炊飯を行うことができるようにしているものがある（例えば、特許文献２参照）。
【特許文献１】特開平７−１７７９６７号公報
【特許文献２】特公平７−９５９７３号公報
【発明の開示】
【発明が解決しようとする課題】
【０００６】
しかしながら、従来の構成では、異常炊飯ではないが、使用者の使い方の一つである前回の炊飯終了から次の炊飯開始までの時間が短い炊飯（以下、連続炊飯）の場合、鍋の温度は水と米により冷却されているが、蓋の温度は十分に下がりきらない状態で炊飯を開始することになる。このような場合に、前炊き工程をなくしたり、短縮したりして炊飯を行うと、蓋の温度が高い状態で高火力で一気に加熱を行う炊き上げ工程に進むため、蓋の温度が上がりやすく、正常炊飯であるにも関わらず、異常炊飯と判定してしまい、十分な食味のご飯が炊けないという問題があった。
【０００７】
本発明は上記従来の課題を解決するもので、正常炊飯であるにも関わらず、異常炊飯と誤判定するのを防ぎ、常に食味のよいご飯を炊飯できるようにすることを目的としている。
【課題を解決するための手段】
【０００８】
本発明は上記目的を達成するために、炊飯器本体内に米と水を入れる鍋を着脱自在に収納し、炊飯器本体の上部を蓋により開閉自在に覆い、鍋を鍋加熱手段により加熱し、鍋の温度を鍋温度検知手段により検知するとともに蓋の温度を蓋温度検知手段により検知し、制御手段により鍋温度検知手段が第１の所定温度を検知してから蓋温度検知手段が第２の所定温度を検知するまでの時間により炊飯量を判定しその判定した炊飯量に応じて鍋加熱
手段を制御して所定のシーケンスで炊飯し、鍋温度検知手段が第１の所定温度を検知する前に蓋温度検知手段が第２の所定温度を検知すると異常炊飯判定手段により異常炊飯であると判定し、前炊き工程短縮手段により米に吸水させる前炊き工程を短縮させるかどうかの選択ができるよう構成し、制御手段は、炊飯時の条件によって前炊き工程短縮手段による前炊き工程短縮の選択を受け付けないように構成したものである。
【０００９】
これにより、炊飯時の条件によって、前炊き工程短縮手段による前炊き工程短縮の選択を受け付けないようになるため、正常炊飯であるにも関わらず、異常炊飯と誤判定するのを防ぐことができ、常に食味のよいご飯を炊飯することができる。
【発明の効果】
【００１０】
本発明の炊飯器は、正常炊飯であるにも関わらず、異常炊飯と誤判定するのを防ぐことができ、常に食味のよいご飯を炊飯することができる。
【発明を実施するための最良の形態】
【００１１】
第１の発明は、炊飯器本体内に着脱自在に収納され米と水を入れる鍋と、前記炊飯器本体の上部を開閉自在に覆う蓋と、前記鍋を加熱する鍋加熱手段と、前記鍋の温度を検知する鍋温度検知手段と、前記蓋の温度を検知する蓋温度検知手段と、前記鍋温度検知手段が第１の所定温度を検知してから前記蓋温度検知手段が第２の所定温度を検知するまでの時間により炊飯量を判定しその判定した炊飯量に応じて前記鍋加熱手段を制御して所定のシーケンスで炊飯させる制御手段と、前記鍋温度検知手段が第１の所定温度を検知する前に前記蓋温度検知手段が第２の所定温度を検知すると異常炊飯であると判定する異常炊飯判定手段と、米に吸水させる前炊き工程を短縮させるかどうかを選択する前炊き工程短縮手段とを備え、前記制御手段は、炊飯時の条件によって前記前炊き工程短縮手段による前炊き工程短縮の選択を受け付けないように構成したものであり、炊飯時の条件によって、前炊き工程短縮手段による前炊き工程短縮の選択を受け付けないようになるため、正常炊飯であるにも関わらず、異常炊飯と誤判定するのを防ぐことができ、常に食味のよいご飯を炊飯することができる。
【００１２】
第２の発明は、上記第１の発明において、制御手段は、連続炊飯であると判定した場合、前炊き工程短縮手段による前炊き工程短縮の選択を受け付けないように構成したものであり、連続炊飯の場合でも、異常炊飯と誤判定するのを防ぐことができ、常に食味のよいご飯を炊飯することができる。
【００１３】
第３の発明は、上記第２の発明において、制御手段は、炊飯動作開始時または炊飯動作開始から一定の時間以内に蓋温度検知手段が第３の所定温度以上を検知すると連続炊飯であると判定するようにしたものであり、連続炊飯を正確に判定することができ、連続炊飯の場合に異常炊飯と誤判定するのを防ぐことができ、常に食味のよいご飯を炊飯することができる。
【００１４】
第４の発明は、上記第１〜３のいずれか１つの発明において、表示動作をする表示手段を備え、制御手段は、前炊き工程短縮手段による前炊き工程短縮の選択を受け付けない場合、前記表示手段にその旨を表示するように構成したものであり、異常炊飯と誤判定するのを防ぎ、常に食味のよいご飯を炊飯するとともに、前炊き工程短縮の選択を受け付けない場合に、使用者が故障ではないかと不安に思ったり、困惑したりするのをなくすことができる。
【００１５】
第５の発明は、上記第１〜４のいずれか１つの発明において、報知動作をする報知手段を備え、制御手段は、前炊き工程短縮手段による前炊き工程短縮の選択を受け付けない場合、前記報知手段によりその旨を報知するように構成したものであり、異常炊飯と誤判定
するのを防ぎ、常に食味のよいご飯を炊飯するとともに、前炊き工程短縮の選択を受け付けない場合に、使用者が故障ではないかと不安に思ったり、困惑したりするのをなくすことができる。
【００１６】
以下、本発明の実施の形態について、図面を参照しながら説明する。なお、この実施の形態によって本発明が限定されるものではない。
【００１７】
（実施の形態１）
図１は、本発明の実施の形態１における炊飯器のブロック図を示し、図２は、同炊飯器の断面図を示すものである。
【００１８】
図１および図２に示すように、炊飯器本体１６は、内部に鍋１を収納する保護枠１７を有し、この保護枠１７内に米と水を入れる鍋１を着脱自在に収納している。鍋１はステンレス、鉄などの磁性体により構成している。加熱コイル１５は、鍋１を加熱するもので、保護枠１７の底面外側に配設した内コイル１３と、その外周上に配設した外コイル１４とで構成し、制御基板１８上に構成した加熱コイル１５に高周波電流を供給するインバータ１２と併せて、鍋加熱手段２を構成している。加熱コイル１５はインバータ１２により供給された高周波電流により交番磁界を発生し、この交番磁界で鍋１を誘導加熱する。
【００１９】
蓋１９は炊飯器本体１６の上部を開閉自在に覆い、この蓋１９の温度を検知する蓋温度検知手段５を設けている。鍋温度検知手段４は鍋１の底部に圧設し、鍋１の温度を検知するようにしている。
【００２０】
鍋温度検知手段４の出力と蓋温度検知手段５の出力とを異常炊飯判定手段６に入力し、異常炊飯判定手段６は、鍋温度検知手段４が第１の所定温度（例えば、８０℃）を検知する前に蓋温度検知手段５が第２の所定温度（例えば、７０℃）を検知すると異常炊飯であると判定するようにしている。制御手段３は、異常炊飯判定手段６とともにマイクロコンピュータ９により構成し、鍋温度検知手段４が第１の所定温度（８０℃）を検知してから蓋温度検知手段が第２の所定温度（７０℃）を検知するまでの時間により炊飯量を判定し、その判定した炊飯量に応じて鍋加熱手段２を制御して所定のシーケンスで炊飯するようにしている。
【００２１】
図３は、操作部と正常炊飯開始時の表示部を表している。表示手段７は、ＬＣＤ２５で構成し、選択コースや炊飯残時間などの炊飯情報を表示して知らせるものであり、制御手段３により制御する。操作部は、炊飯を開始するための炊飯キー２６や炊飯コースを選択するコースキーなどの複数のキーで構成している。前炊き工程短縮手段１０は、米に吸水させる前炊き工程を短縮させるかどうかを選択するもので、炊飯キー２６で構成し、炊飯動作を開始するときに炊飯キー２６を１回のみ押した場合は、通常通り前炊き工程を実施し、炊飯動作を開始して１６秒以内に再度炊飯キー２６を押した場合は、前炊き工程を短縮して実施するようにしている。
【００２２】
報知手段８は、ブザー（図示せず）で構成し、各キーの入力受付や炊飯終了、異常発生などを報知するものであり、制御手段３により制御する。なお、表示手段７と報知手段８については後述する。
【００２３】
ここで、制御手段３は、炊飯動作開始時に蓋温度検知手段５が第３の所定温度（例えば、７０℃）以上を検知すると連続炊飯であると判定するようにし、連続炊飯であると判定した場合、米に吸水させる前炊き工程短縮の選択を受け付けないように構成している。
【００２４】
上記構成において、まず、正常炊飯時の場合について図４を参照しながら動作を説明す
る。図４は本実施の形態の炊飯器の正常炊飯時の炊飯工程のタイムチャートであり、図４（ａ）は正常炊飯時の前炊き短縮を選択していない場合の炊飯工程のタイムチャート、図４（ｂ）は正常炊飯時の前炊き短縮を選択している場合の炊飯工程のタイムチャートである。図４の実線は、鍋温度検知手段４により検知した鍋温度を示し、点線は、蓋温度検知手段５により検知した蓋温度を示している。
【００２５】
まず、鍋１に米と水を入れ、この鍋１を炊飯器本体１６内に収納し、動作を開始すると、図４に示すように、前炊き工程、ならし工程と判定工程と沸騰維持工程を有する炊き上げ工程、むらし工程などの各工程を順次実行する。まず、前炊き工程では、鍋温度検知手段４により検知した鍋１の温度が所定温度θ３（例えば、５５℃）に到達するまで、鍋加熱手段２の通電率を上げて強い火力で通電する。鍋１の温度が所定温度θ３（５５℃）に到達した後は、鍋加熱手段２の通電率を下げて火力を落とし、鍋１の温度が所定温度θ３（５５℃）を維持するように、オン／オフ制御を所定時間（Ｔｍ）行う。例えば、前炊き短縮を選択していない場合は、図４（ａ）に示すように、前炊き工程を長く（例えば、２０分間）行うが、前炊き短縮を選択している場合は、すでに米の吸水が十分行われていると仮定して、図４（ｂ）に示すように、前炊き工程を短く（例えば、１０分間）行う。米の湖化は約５５℃以上で始まるが、この湖化の始まる下限ぎりぎりの水温の水で米を浸すことで比較的短時間で米を含水できる。
【００２６】
前炊き工程が終わると炊き上げ工程を構成するならし工程に入る。ならし工程では、強い火力で一気に沸騰まで推移させるため、制御手段３は鍋加熱手段２の通電率を上げる。蓋１９の温度は、点線で示すように、前炊き工程まではあまり上昇しない。ところが、ならし工程で鍋加熱手段２の通電率を上げて高火力で加熱すると、鍋１内が沸騰して蒸気が発生し、この蒸気の熱で蓋１９の温度が上昇する。
【００２７】
そして、判定工程にて、鍋温度検知手段４により検知した鍋温度が第１の所定温度θ１（８０℃）に達してから蓋温度検知手段により検知した蓋温度が第２の所定温度θ２（７０℃）に達するまでの判定時間Ｔによって、（表１）に示すように、鍋１内の炊飯量を判定する。
【００２８】
【表１】
2010172440.tif 000003
【００２９】
その後沸騰維持工程に移行し、炊飯量に応じて加熱出力を調節し、所定の温度θ４（例えば、１２０℃）に達するとむらし工程に入り、設定された時間後に炊飯動作を終了する。
【００３０】
つぎに、連続炊飯の場合について図５を参照しながら動作を説明する。なお、異常炊飯判定手段６により異常炊飯であると判定する動作以外の動作は、上記正常炊飯時の動作と
同じであるので説明を省略する。図５（ａ）は従来の炊飯器の連続炊飯時の炊飯工程のタイムチャートであり、図５（ｂ）は本実施の形態の炊飯器の連続炊飯時の炊飯工程のタイムチャートである。図５の実線は、鍋温度検知手段４により検知した鍋温度を示し、点線は、蓋温度検知手段５により検知した蓋温度を示している。
【００３１】
前回の炊飯終了から次の炊飯開始までの時間が短い、連続炊飯を行う場合、図５に示すように鍋１の温度は水と米により冷却されているが、蓋１９の温度が十分に下がりきらない状態で炊飯を開始することになる。この場合、図５（ａ）に示すように、前炊き工程の時間Ｔｍを短く（１０分間）なるように短縮してしまうと、蓋１９の温度が十分に下がりきらない状態でならし工程に移行してしまうため、鍋温度検知手段４が第１の所定温度θ１（８０℃）を検知する時刻ｔ１より前のならし工程での時刻ｔ２にて蓋温度検知手段５が第２の所定温度θ２（７０℃）を検知するため、異常炊飯と判定してしまう。
【００３２】
このため、本実施の形態においては、制御手段３は、炊飯動作開始時に蓋温度検知手段５が第３の所定温度（７０℃）以上を検知すると連続炊飯であると判定し、連続炊飯であると判定した場合、前炊き工程の短縮を受け付けず、図５（ｂ）に示すように、前炊き工程の時間Ｔｍを長く（２０分間）する。このことにより、蓋温度検知手段５が第２の温度（７０℃）を検知する時刻ｔ３が、鍋温度検知手段４が第１の所定温度θ１（８０℃）を検知する時刻ｔ１より前になることがなくなり、異常炊飯判定手段６が異常炊飯であると判定するのを防止することができる。
【００３３】
以上のように、本実施の形態においては、制御手段３は、炊飯時の条件によって前炊き工程短縮手段による前炊き工程短縮の選択を受け付けないように構成したので、正常炊飯であるにも関わらず、異常炊飯と誤判定するのを防ぐことができ、常に食味のよいご飯を炊飯することができる。
【００３４】
また、制御手段３は、連続炊飯であると判定した場合、前炊き工程の短縮を受け付けず、前炊き工程の時間Ｔｍを従来の２０分間より短い１０分間に変更しないように構成したので、連続炊飯の場合でも、異常炊飯と誤判定するのを防ぐことができ、常に食味のよいご飯を炊飯することができる。
【００３５】
また、制御手段３は、炊飯動作開始時に蓋温度検知手段５が第３の所定温度（７０℃）以上を検知すると連続炊飯であると判定するようにしたので、連続炊飯を正確に判定することができ、連続炊飯の場合に異常炊飯と誤判定するのを防ぐことができ、常に食味のよいご飯を炊飯することができる。
【００３６】
なお、本実施の形態では、前炊き工程短縮手段１０により前炊き工程を通常より短縮できるようにしているが、これは前炊き工程をなくすようにしてもよく、同様の作用効果を得ることができる。
【００３７】
また、本実施の形態では、前炊き工程短縮手段１０を炊飯キー２６により構成しているが、これは複数のキーによる組み合わせや独立した専用キーにより構成してもよく、同様の作用効果を得ることができる。
【００３８】
また、本実施の形態では、制御手段３は、炊飯動作開始時に蓋温度検知手段５が第３の所定温度（７０℃）以上を検知すると連続炊飯であると判定するようにしているが、炊飯動作開始から一定の時間以内に蓋温度検知手段５が第３の所定温度（７０℃）以上を検知すると連続炊飯であると判定するようにしてもよく、同様の作用効果を得ることができる。
【００３９】
（実施の形態２）
図１に示す制御手段３は、前炊き工程短縮手段１０による前炊き工程短縮の選択を受け付けない場合、その旨を表示手段７に表示するように構成している。他の構成は上記実施の形態１と同じである。
【００４０】
上記構成において動作を説明する。なお、前炊き工程短縮の選択を受け付けないときの動作以外は、上記実施の形態１における正常炊飯時の動作と同じであるので説明を省略する。
【００４１】
炊飯動作開始時に蓋温度検知手段５が第３の所定温度（７０℃）以上を検知すると連続炊飯であると判定し、連続炊飯であると判定した場合、前炊き工程の短縮を受け付けず、図５（ｂ）に示すように、前炊き工程の時間Ｔｍを従来の２０分より短い１０分に変更しない。
【００４２】
このとき、表示手段７であるＬＣＤ２５に正常炊飯時と同様の表示をしていては、使用者はなぜ前炊き工程短縮の選択を受け付けないのかわからず、受け付けないことに不安を覚え、困惑してしまう。
【００４３】
そこで、本実施の形態においては、制御手段３は、前炊き工程短縮の選択を受け付けない場合は、図６に示すように、ＬＣＤ２５に「前炊短縮不可」というキャラクタを表示するように表示手段７を制御する。このことにより、前炊き工程短縮の選択を受け付けないことを確実に認識することができる。
【００４４】
以上のように、本実施の形態においては、制御手段３は、前炊き工程短縮の選択を受け付けない場合、その旨を表示手段７に表示するように構成したので、異常炊飯と誤判定するのを防ぎ、常に食味のよいご飯を炊飯するとともに、前炊き工程短縮の選択を受け付けない場合に、使用者が前炊き工程短縮の選択を受け付けないことで不安に思ったり、困惑したりすることをなくすことができる。
【００４５】
（実施の形態３）
図１に示す制御手段３は、前炊き工程短縮手段１０による前炊き工程短縮の選択を受け付けない場合、その旨を報知手段８により報知するように構成している。他の構成は上記実施の形態１または２と同じである。
【００４６】
上記構成において動作を説明する。なお、前炊き工程短縮の選択を受け付けないときの動作以外は、上記実施の形態１における正常炊飯時の動作と同じであるので説明を省略する。
【００４７】
炊飯動作開始時に蓋温度検知手段５が第３の所定温度（７０℃）以上を検知すると連続炊飯であると判定し、連続炊飯であると判定した場合、前炊き工程の短縮を受け付けず、図５（ｂ）に示すように、前炊き工程の時間Ｔｍを従来の２０分より短い１０分に変更しない。
【００４８】
このとき、表示手段７であるＬＣＤ２５に正常炊飯時と同様の表示をしていては、使用者はなぜ前炊き工程短縮の選択を受け付けないのかわからず、受け付けないことに不安を覚え、困惑してしまう。
【００４９】
そこで、本実施の形態においては、制御手段３は、前炊き工程短縮の選択を受け付けない場合は、図６に示すようにＬＣＤ２５に「前炊短縮不可」というキャラクタを表示するように表示手段７を制御するとともに、その旨を報知するように報知手段８であるブザー
を制御する。このことにより、使用者は前炊き工程短縮の選択を受け付けないことをより確実に認識することができる。
【００５０】
以上のように、本実施の形態においては、制御手段３は、前炊き工程短縮の選択を受け付けない場合、その旨を報知手段８により報知するように構成したので、異常炊飯と誤判定するのを防ぎ、常に食味のよいご飯を炊飯するとともに、前炊き工程短縮の選択を受け付けない場合に、使用者が前炊き工程短縮の選択を受け付けないことで不安に思ったり、困惑したりすることをなくすことができる。
【産業上の利用可能性】
【００５１】
以上のように、本発明にかかる炊飯器は、正常炊飯であるにも関わらず、異常炊飯と誤判定するのを防ぐことができ、常に食味のよいご飯を炊飯することができるので、炊飯中の異常を検知する異常検知機能を有する炊飯器として有用である。
【図面の簡単な説明】
【００５２】
【図１】本発明の実施の形態１における炊飯器のブロック図
【図２】同炊飯器の断面図
【図３】同炊飯器の正常炊飯開始時の表示操作部を示す図
【図４】（ａ）同炊飯器のは正常炊飯時の前炊き短縮を選択していない場合の炊飯工程のタイムチャート（ｂ）同炊飯器の正常炊飯時の前炊き短縮を選択している場合の炊飯工程のタイムチャート
【図５】（ａ）従来の炊飯器の連続炊飯時の炊飯工程のタイムチャート（ｂ）本発明の実施の形態１における炊飯器の連続炊飯時の炊飯工程のタイムチャート
【図６】本発明の実施の形態２における炊飯器の連続炊飯開始時の表示操作部を示す図
【符号の説明】
【００５３】
１  鍋
２  鍋加熱手段
３  制御手段
４  鍋温度検知手段
５  蓋温度検知手段
６  異常炊飯判定手段
１０  前炊き工程短縮手段
１６  炊飯器本体
１９  蓋
【図１】
2010172440.tif 000004
【図２】
2010172440.tif 000005
【図３】
2010172440.tif 000006
【図４】
2010172440.tif 000007
【図５】
2010172440.tif 000008
【図６】
2010172440.tif 000009